(57)【要約】      （修正有）【課題】硬質フィルムを迅速・容易に互いに強固に固定または簡単に分離することができるようにする温室用硬質フィルムの固定装置を提供する。【解決手段】温室用硬質フィルムの固定装置は、上面に上部と両端が開放されるように形成される固定溝部を備えるルーフフレーム１０と、前記固定溝部に硬質フィルムを挿入係合する第１，２係合部材を備える係合手段２０と、上方から前記第１，２係合部材の左右の幅を広げながら結合され、第１，２係合部材の上部中央を覆うと同時に第１，２係合部材が硬質フィルムを固定溝部に拮抗しながらも、強固に係合する第１，２係合部材を固定しているカバー部材３０を含んで構成されていることを特徴とする。【選択図】図１
2019037221.tif 000002
【特許請求の範囲】
【請求項１】
離隔されている左右面の上部に垂直に延伸される左右の支持部を備えるルーフフレームと、
係合された状態で左右に移動され、幅を調節できるように形成され、幅が絞り込まれた状態で、前記ルーフフレームの上部を横切るように取付けられた硬質フィルムを下降させながら左右の支持部の間から挿入される係合手段と、
前記係合手段に係合されるカバー部材であって、係合によって、前記係合集アdんの幅を広げ、広げられた前記係合手段が左右の支持部の間に挿入された硬質フィルムを固定させる、カバー部材と、を含んで構成されている温室用硬質フィルムの固定装置。
【請求項２】
前記ルーフフレームと係合手段とカバー部材は、互いに対応する長さで構成されている請求項１に記載の温室用硬質フィルムの固定装置。
【請求項３】
前記ルーフフレームは、前記左右の支持部の上部に互いに対向して水平に延伸される左右の固定片を含んで構成されている請求項１に記載の温室用硬質フィルムの固定装置。
【請求項４】
前記係合手段は、前記カバー部材の結合によって広げられながら前記左右の支持部との間に挿入された硬質フィルムの左及び右部をそれぞれ左右に広げる第１，２係合部材を含んで構成されている請求項１に記載の温室用硬質フィルムの固定装置。
【請求項５】
前記係合手段は、第１係合部材に形成される結合部と、前記結合部に前・後端が開放されるように貫通形成され、右側面の中間に上下幅が小さく長さ方向に切開された収容部と、前記収容部に結合されて左右に移動するように第２係合部材に形成されている接続片を含んで構成されている請求項４に記載の温室用硬質フィルムの固定装置。
【請求項６】
前記係合手段は、前記結合部の長さ方向に切開された切開部によって右側面の中間に形成される上下の掛け顎と、前記掛け顎にかけて結合部から抜け出さないように接続片の右端に突出形成されている係止部を含んで構成されている請求項５に記載の温室用硬質フィルムの固定装置。
【請求項７】
前記係合手段は、前記第１係合部材に右側に水平に延伸される第１加圧片と、前記第２係合部材に左に水平に延伸される第２加圧片を含んで構成されている請求項４に記載の温室用硬質フィルムの固定装置。
【請求項８】
前記第１加圧片と第２加圧片は、それぞれ複数で構成される請求項７に記載の温室用硬質フィルムの固定装置。
【請求項９】
前記カバー部材は、前記第１，２係合部材の左右幅が完全に広げられた時の上部を覆う大きさに形成される板体と、前記第１，２係合部材の対応する部位にそれぞれ接触するように板体の下面の左右に下方に延伸される弾性片を含んで構成されている請求項４に記載の温室用硬質フィルムの固定装置。
【請求項１０】
前記カバー部材は、前記弾性片の各下端部に形成される係合顎と、前記係合顎がそれぞれ係合されるように、第１，２係合部材の対応する部位にそれぞれ形成される第１，２係合溝を含んで構成されている請求項９に記載の温室用硬質フィルムの固定装置。
【請求項１１】
前記第１，２係合部材は、前記カバー部材を下降させると、弾性片によって第１，２係合部材が左右に広げられるよう弾性片が接触する部位が下部に行くほど幅が狭くなって形成される第１、２傾斜部を含んで構成されている請求項９に記載の温室用硬質フィルムの固定装置。
【発明の詳細な説明】
【技術分野】
【０００１】
本発明は、温室用硬質フィルムの固定装置に関するものであり、より詳細には、硬質フィルムをより迅速・容易に互いに強固に固定または簡単に分離することができようにする温室用硬質フィルムの固定装置に関するものである。
【背景技術】
【０００２】
従来、温室用硬質フィルムの固定装置は、複数の垂直支柱の上端部に設置された水平フレームに複数のルーフフレームを設置し、これらのルーフフレームの一組のルーフフレームの間には、Ｖ型雨水受けの内側部両側に水平部と垂直部からなる「Ｔ」型突出部を用意し、前記突出部に密着させたループ硬質フィルムを、水平部の先端に係止爪が設けられた固定台で固定し、前記固定台の外面から複数の締結ネジを締結して固定台とルーフ用硬質フィルムを強固に「Ｔ」型突出部に固定するように構成されている、本願出願人の先願登録の硬質フィルム温室のルーフ用硬質フィルムの固定構造（特許文献１）があった。
【０００３】
しかし、このルーフ用硬質フィルムの固定構造は、「Ｔ」型突出部にルーフ用硬質フィルムを密着させた後、垂直部の先端に係止爪を係合させて固定台を係合させるだけでは、固定台がルーフ用硬質フィルムを突出部に強固に固定するのに限界があり、複数の締結ネジを締結して固定していることから、締結するときだけでなく、部分的な補修や交換または温室の解体などのために締結ねじを取り外すときにも、多くの作業時間と人員とコストがかかるという問題点があった。
【０００４】
また、締結ネジを取り外した後、再び締結する場合、締結ねじが締結された固定台のネジ穴や突出部に設けられた挿入溝の締結部分が緩んでルーフ用硬質フィルムを突出部に強固に固定することができなくなることはもちろん、ルーフ用硬質フィルムには複数のネジ穴が穿孔されることによって、再利用が難しく、廃棄していたことから、寿命の短縮に伴う資源とコストの無駄が生じると同時に締結ねじが外部に露出されて耐久性と商品性を向上させるにも限界があるなどの問題点もあった。
【先行技術文献】
【特許文献】
【０００５】
【特許文献１】韓国登録実用新案第２０−０３４４７５６号公報
【発明の概要】
【発明が解決しようとする課題】
【０００６】
本発明は、従来のこのような問題点を鑑みてなされたもので、その目的は、硬質フィルムをより迅速・容易に互いに強固に固定する、または簡単に分離することができるようにする温室用硬質フィルムの固定装置を提供するものである。
【０００７】
また、本発明の他の目的は、寿命の短縮の防止はもちろん外観が美麗になるとともに、耐久性と商品性が大幅に向上される温室用硬質フィルムの固定装置を提供するものである。
【課題を解決するための手段】
【０００８】
この目的を達成するために、本発明は、
左右面の上部に垂直に延伸される左右の支持部（１２，１２’）と、左右の支持部（１２，１２’）の上部に対向して水平に延伸される左右の固定片（１３，１３  ’）と、左右の支持部（１２，１２’）と、左右の固定片（１３，１３’）によって上部と両端が開放されるように上面に形成される固定溝部（１４）を備えるルーフフレーム（１０）と、
前記ルーフフレーム（１０）に対応する長さとなる第１，２係合部材（２１，２２）を備える係合手段（２０）と、
前記第１係合部材（２１）は、ルーフフレーム（１０）の上面よりも左右幅が狭い第１係合板部（２１１）と、第１係合板部（２１１）の右端から右上方に傾斜して延伸される第１傾斜部（２１２）と、前記第１傾斜部（２１２）の上端から左右の幅が右の固定片（１３’）よりも広く、その上面に載せられ、水平に延伸される第１係合片部（２１３）と、前記第１係合片部（２１３）の右端で下端が右の固定片（１３  ’）の上面よりも低く下方に延伸される第１押え部（２１４）と、前記第１傾斜部（２１２）の右側で水平に延伸される第１加圧片（２１５）と、前記第１傾斜部（２１２）の左面に陥没形成される第１係合溝（２１６）と、前記第１係合板部（２１１）の上面中央部に突出形成される結合部（２１７）と、前記結合部（２１７）に前・後端が開放されるように長さ方向に貫通形成される収容部（２１８）と、前記結合部（２１７）の左側面中央に収容部（２１８）より上下幅が小さく長さ方向に形成されている切開部によって隔離形成される上下の掛け顎（２１９）を備えて構成されており、
前記第２係合部材（２２）は、第１係合板部（２１１）の左端から結合部（２１７）の左側面との間の幅よりも狭く、第１係合板部（２１１）の上面左側に載置されている第２係合板部（２２１）と、前記第２係合板部（２２１）の左端から左上方に傾斜して延伸される第２傾斜部（２２２）と、前記第２傾斜部（２２２）の上端から左右の幅が左側固定側よりも広く、その上面に載せられ、水平に延伸される第２係合片部と、前記第２係合片部の左端から下段が左の固定片の上面より低く下方に延伸される第２押え部と、前記第２傾斜部（２２２）の左面に左側水平に延伸される第２加圧片（２２５）と、前記第２傾斜部（２２２）の右側で陥没形成される第２係合溝（２２６）と、前記第２係合板部（２２１）の右端から右上方に傾斜する傾斜部の右端に掛け顎（２１９）の間の幅に比例する厚さで水平に延伸されて掛け顎（２１９）の間を通過するように係合される接続片（２２７）と、左右の幅が前記収容部（２１８）より狭く接続片（２２７）の右端に突出形成されて収容部（２１８）に収容され、左側に移動すると、掛け顎（２１９）にかけて、左に抜け出せない係止部（２２８）を備えて構成されており、
前記ルーフフレーム（１０）に対応する長さを持って、第１，２係合部材（２１，２２）を左右に完全に広げられた時、第１，２傾斜部（２１２，２２２）の上端との間の幅よりも左右の幅が大きくなる板体（３１）と、前記板体（３１）の下面から、第１，２係合溝（２１６，２２６）に対応する部位まで下方に延伸される弾性片（３２，３２  ’）と、前記弾性片（３２，３２’）の下端部にそれぞれ第１，２係合溝（２１６，２２６）に係合するように形成されている係合顎（３３，３３’）を備えるカバー部材（３０）と、を含んで構成されて、硬質フィルム（６）をより迅速・容易に互角ながらも強固に固定または簡単に分離することができるようにするとともに、寿命の短縮を防止はもちろん外観が美麗で耐久性と商品性が大幅に向上されている温室用硬質フィルムの固定装置を提供する。
【発明の効果】
【０００９】
本発明による温室用硬質フィルムの固定装置は、締結ねじ等を一切使用せず、第１，２係合部材とカバー部材を使用して硬質フィルムを引っ張りながら強固に固定するので、より迅速・容易に固定したり、または簡単に取り外すことができ、作業時間と人力とコストを大幅に削減することができるだけでなく、第１，２係合部材とカバー部材と硬質フィルムなどのネジ締結のための穴が穿孔されていないので、外観が美麗で耐久性と商品性を大幅に向上させるなどの効果がある。
【図面の簡単な説明】
【００１０】
【図１】図１は、本発明による温室用硬質フィルムの固定装置が適用された状態を一部抜粋して示した正面図である。
【図２】図２は、図１から温室用硬質フィルムの固定装置を外して見せた斜視図である。
【図３】図３は、図２のルーフフレームと係合手段を抜粋拡大して示した正面図である。
【図４ａ】図４ａは、図２の固定装置で硬質フィルムを固定する過程を示した正面図である。
【図４ｂ】図４ｂは、図２の固定装置で硬質フィルムを固定する過程を示した正面図である。
【図４ｃ】図４ｃは、図２の固定装置で硬質フィルムを固定する過程を示した正面図である。
【図４ｄ】図４ｄは、図２の固定装置で硬質フィルムを固定する過程を示した正面図である。
【図５ａ】図５ａは、本発明による温室用硬質フィルムの固定装置を分離して示した正面図である。
【図５ｂ】図５ｂは、図５ａの固定装置で硬質フィルムを固定した状態を示す正面図である。
【発明を実施するための形態】
【００１１】
以下、本発明による温室用硬質フィルムの固定装置を添付された図面に基づいて詳細に説明する。
【００１２】
図１は、本発明による温室用硬質フィルムの固定装置が適用された状態を一部抜粋して示した正面図であり、図２は、本発明による温室用硬質フィルムの固定装置を外して示した斜視図である。
【００１３】
図１，２に示した本発明による温室用硬質フィルムの固定装置は、同じ長さに形成されるルーフフレーム（１０）と、係合手段（２０）と、カバー部材（３０）とを含んで構成されている。
【００１４】
前記ルーフフレーム（１０）は、離間されている左右の面（１１，１１’）の上部から同じ高さに垂直に延伸される左右の支持部（１２，１２’）と、前記左右の支持部（１２，１２’）の上部で互いに向き合うように、水平に延伸された左右の固定片（１３，１３’）と、前記左右の支持部（１２，１２’）と前記左右の固定片（１３，１３’）によって上部と両端が開放されるように上面に形成された固定溝部（１４）とを備えてなる。
【００１５】
これらのルーフフレーム（１０）は、一般的なフレームと同じように、温室の屋根（１）の棟（２）の左右に位置する柱（３）の上部に位置するようにトラス（４）の上面に設けられる雨樋（５）との間を下方に傾斜するように前後一定幅で設置されて上面に硬質フィルム（６）を固定して、温室を覆う。
【００１６】
係合手段（２０）は、ルーフフレーム（１０）に対応する長さに形成された第１，２係合部材（２１，２２）で構成されている。
【００１７】
第１係合部材（２１）は、ルーフフレーム（１０）の上面よりも左右幅が狭い第１係合板部（２１１）と、前記第１係合板部（２１１）の右端から右上方に傾斜して延伸される第１傾斜部（２１２）と、前記第１傾斜部（２１２）の上端から左右の幅が右の固定片（１３’）よりも広く、その下面が前記右の固定片（１３’）の上面に載せられ、水平に延伸される第１係合片部（２１３）と、前記第１係合片部（２１３）の右端から、下端が右の固定片（１３’）の上面よりも低く直角に下方に延伸される第１押え部（２１４）と、前記第１傾斜部（２１２）の右面で右側に水平に延伸される第１加圧片（２１５）と、前記第１傾斜部（２１２）の左面に陥没形成される第１係合溝（２１６）と、前記第１係合板部（２１１）の上面中央部に突出形成される結合部（２１７）と、前記結合部（２１７）に前・後端が開放されるように長さ方向に貫通形成される正方形の収容部（２１８）と、前記結合部（２１７）の左面の中間に収容部（２１８）より上下幅が小さく長さ方向に切開された切開部によって隔離形成される上下の掛け顎（２１９）とを備えてなる。
【００１８】
第２係合部材（２２）は、第１係合板部（２１１）の左端から結合部（２１７）の左側面との間の幅よりも左右幅が狭く、前記第１係合板部（２１１）の上面左側に載置される第２係合板部（２２１）と、前記第２係合板部（２２１）の左端から左上方に傾斜して延伸される第２傾斜部（２２２）と、前記第２傾斜部（２２２）の上端から左右の幅が左の固定片（１３）よりも広く、下面が前記左の固定片（１３）の上面に載せられ、水平に延伸される第２係合片部（２２３）と、前記第２係合片部（２２３）の左端から下段が左の固定片（１３）の上面よりも低く直角に下方に延伸される第２押え部（２２４）と、前記第２傾斜部（２２２）の左面に左側に水平に延伸される第２加圧片（２２５）と、前記第２傾斜部（２２２）の右面に陥没形成される第２係合溝（２２６）と、前記第２係合板部（２２１）の右端から右上方に傾斜する傾斜部の右端に掛け顎（２１９）の間の幅に比例である厚さで水平に延伸されて上下の前記掛け顎（２１９）の間を通過するように係合される接続片（２２７）と、左右の幅が収容部（２１８）より狭く、前記接続片（２２７）の右端に正方形の形に突出形成されて収容部（２１８）に収容され、左側に移動すると、掛け顎（２１９）に係合されて左に抜け出ない係止部（２２８）とを備えてなる。
【００１９】
これらの第２係合部材（２２）は、後述するように、接続片（２２７）は、上下の掛け顎（２１９）を貫通し、係止部（２２８）は、収容部（２１８）に収容されるように後段の第１係合部材（２１）の前段から長さ方向に係合して接続する。
【００２０】
このように接続すると、収容部（２１８）と係止部（２２８）の左右幅の差に比例して前記係止部（２２８）が収容部（２１８）内で左右に移動できるようになる一方、係止部（２２８）が左側に移動し、上下の掛け顎（２１９）に係合されると移動が停止すると同時に第１，２係合部材（２１，２２）は、側方に分離されないようにすると同時に、互いに対応する第１，２傾斜部（２１２，２２２）の間は、上部に行くほど広くなる形状となる。
【００２１】
このように係止部（２２８）を収容部（２１８）から左右に移動できるようにするのは、後述するように、ルーフフレーム（１０）の固定溝部（１４）を横切るように取付けられた硬質フィルム（６）を固定するために、その上方で互いに接続された第１，２係合部材（２１，２２）を前記固定溝部（１４）に係合するときは、まず、係止部（２２８）を収容部（２１８）から右に移動させて、第１、２係合部材（２１，２２）の接続された左右の幅を狭め、第１，２加圧片（２１５，２２５）の端部が前記ルーフフレーム（１０）の固定片（１３，１３’）の端部に係らないようにすることにより、前記硬質フィルム（６）を押して下降させながら固定溝部（１４）に容易に係合させることができるようにすることである。
【００２２】
カバー部材（３０）は、ルーフフレーム（１０）に対応する長さを有し、左右の幅が、前記第１，２係合部材（２１，２２）の左右幅が完全に広げられた時、第１，２傾斜部（２１２，２２２）の上端との間の幅よりも大きく形成されて上部を覆う板体（３１）と、前記板体（３１）の下面から、左右の第１，２係合溝（２１６，２２６）に対応する部位に接触するように下方に延伸された弾性片（３２，３２’）と、前記弾性片の下端部にそれぞれ第１，２係合溝（２１６，２２６）に係合するように形成されている係合顎（３３，３３’）を備えてなる。
【００２３】
これらのカバー部材（３０）は、後述するように、第１，２係合部材（２１，２２）に硬質フィルム（６）を下降させて固定溝部（１４）に係合させた状態で、前記第１，２係合部材（２１，２２）の上方で係合顎（３３，３３’）が第１，２傾斜部（２１２，２２２）に沿って下降して加圧係合すると、前記第１，２傾斜部（２１２，２２２）の間が下部に行くほど互いの幅が狭くなる傾斜状に形成されているので、弾性片（３２，３２’）が、前記第１，２係合部材（２１，２２）の幅を広げてながら下降している途中、係合顎（３３，３３’）が第１，２係合溝（２１６，２２６）に位置することになる瞬間、前記弾性片（３２，３２’）の弾性によって係合顎（３３，３３’）が第１，２係合溝（２１６，２２６）にそれぞれ強固に係合されるので、第１，２係合部材（２１，２２）が硬質フィルム（６）を固定溝部（１４）に強固に固定させるとともに、第１，２係合部材（２１，２２）を覆うようになる。
【００２４】
このように構成されている本発明による温室用硬質フィルム（６）の固定装置を使用して硬質フィルム（６）を固定する過程を、以下、添付された図面に基づいて詳細に説明する。
【００２５】
図４ａ〜ｄは、図２に記載の固定装置によって硬質フィルム（６）を固定する過程を示した正面図である。
【００２６】
図４ａは、フレーム（１０）の固定溝部（１４）を横切るように硬質フィルム（６）を取付けられた後、収容部（２１８）には、係止部（２２８）が収容されて接続片（２２７）は、上下掛け顎（２１９）の間を通過するように相互に接続した第１，２係合部材（２１，２２）を上方から前記固定溝部（１４）に挿入する前の状態を示す。
【００２７】
このとき、第１，２係合部材（２１，２２）は、係止部（２２８）が収容部（２１８）内で右に移動されており、左右の幅が絞り込まれた状態であり、これにより、第１，２加圧片（２１５，２２５）の左右段の間は、前記第１，２係合部材（２１，２２）の左右の固定片（１３，１３’）の端部との間の幅に対応して後述する第１，２係合部材（２１，２２）を固定溝部（１４）に挿入係合するとき、第１，２加圧片（２１５，２２５）が左右の固定片（１３，１３  ’）に引っ掛からないで容易に挿入される。
【００２８】
図４ｂは、互いに接続された第１，２係合部材（２１，２２）により、固定溝部（１４）を横切るように取付けられた硬質フィルム（６）を下降させて前記固定溝部（１４）に挿入させた状態を示す。
【００２９】
こうすると、硬質フィルム（６）の固定溝部（１４）に挿入される部分の中間部の第１係合部（２０）の第１係合板部（２１１）の下面と前記固定溝部（１４）の底の間に介在され、その左・右部は、第１，２加圧片（２１５，２２５）の左右端を経て左右の固定片（１３，１３’）の端部との間に位置し、その左右の上部は、前記左右の固定片（１３，１３’）の各上面と第１，２係合片部（２１３，２２３）の各下面の左右と支持部（１２，１２’）の各上部の左・右面と第１，２押し片（２１４，２２４）との間を経て、前記第１，２押し片（２１４，２２４）の各下端に支えれるように介在される。
【００３０】
図４ｃは、係止部（２２８）が収容部（２１８）内で右に移動されるようにして、左右の幅が絞り込まれた状態の第１，２係合部材（２１，２２）に固定溝部（１４）を横切るように取付けした硬質フィルム（６）を下降挿入させ、上方から前記第１，２係合部材（２１，２２）にカバー部材（３０）を係合する状態を示す。
【００３１】
つまり、左右の幅が絞り込まれた第１，２係合部材（２１，２２）の上方で係合顎（３３，３３’）が第１，２傾斜部（２１２，２２２）に沿って下降して加圧して係合すると、前記第１，２傾斜部（２１２，２２２）の間が下部に行くほど狭くなる形態であるため、弾性片（３２，３２’）が１次的に前記第１，２係合部材（２１，２２）の幅を広げてながら下降することになる。
【００３２】
こうなると、第１，２係合部材（２１，２２）の幅は、係止部（２２８）が掛け顎（２１９）に引っ掛けられるまで移動することになり、この時、第１，２加圧片（２１５，２２５）も一緒に左右に移動するので、それぞれ第１係合板部（２１１）の下面と前記固定溝部（１４）の底の間で左右の固定片（１３，１３’）の端部との間に位置する硬質フィルム（６）の左・右部を２次的にさらに広げることから、張力がが高まり、しわがない互角である状態で固定されるようにする。
【００３３】
そして、第１，２係合部材（２１，２２）の幅が完全に広げられると同時に係合顎（３３，３３’）が第１，２係合溝（２１６，２２６）にそれぞれ位置するようになるが、この時、前記係合顎（３３，３３’）が第１，２傾斜部（２１２，２２１）の傾斜面に形成される第１，２係合溝（２１６，２２６）の上部となる顎を渡るとき、弾性片（３２，３２’）が前記顎と係合溝の深さの差に比例して押し出される過程で弾性が発生するため、係合顎（３３，３３’）がそれぞれの顎を越えるすぐ弾性によって係合顎（３３，３３’）が第１，２係合溝（２１６，２２６）にそれぞれ強固に挿入さ係合される。
【００３４】
図４ｄは、第１，２係合部材（２１，２２）とカバー部材（３０）によって硬質フィルム（６）が、ルーフフレーム（１０）の固定溝部（１４）に係合され固定された状態を示す。
【００３５】
このように固定されている硬質フィルム（６）は、固定溝部（１４）に挿入される部分の中間部の第１係合部（２０）の第１係合板部（２１１）の下面と前記固定溝部（１４）の底の間に介在され、その左・右部は、上方で第１，２加圧片（２１５，２２５）の端部によって左右にさらに広がってテンションが強化された状態で、左右の固定片（１３，１３’）の端部との間と前記左右の固定片（１３，１３’）の各上面と第１，２係合片部（２１３，２２３）の各下面の左右と支持部（１２，１２’）の各上部左・右面を経て外部に露出されて第１，２押し片（２１４，２２４）の各下面に支えれるように介在されるので、互角ながらも強固に固定されて温室をかぶせることになる。
【００３６】
図５ａは、本発明による温室用硬質フィルムの固定装置を分離して示した正面図であり、図５ｂは、図５ａの固定装置で硬質フィルム（６）を固定した状態を示す正面図である。
【００３７】
図５ａ、ｂに応じた温室用硬質フィルムの固定装置は、前記図１〜３と同様に、それぞれ同じ長さに形成されるルーフフレーム（１０）と、係合手段（２０）と、カバー部材（３０）とを含んで構成されており、図４ａ〜ｄと同じ過程で硬質フィルム（６）を前記ルーフフレーム（１０）に固定するものである。
【００３８】
しかし、係合手段（２０）の第１係合部材（２１）の右面と第２係合部材（２２）の左面にそれぞれ水平に延伸される第１加圧片（２１５）と第２加圧片（２２５）をそれぞれ上下所定の幅に分離されている一対のように形成し、このように上下一対に形成される前記上下の第１加圧片（２１５）と、上下の第２加圧片（２２５）に対応して、ルーフフレーム（１０）の右の固定片（１３’）の左面と左の固定片（１３）の右面にそれぞれの端部が前記上下の第１加圧片（２１５）の端部との間の上下の第２加圧片（２２５）の端部との間にそれぞれ挿入介在されるように、水平に延伸されている左右の支持片（１５，１５’）をさらに含んで構成されていることを特徴とする。
【００３９】
このように構成されている固定装置で硬質フィルム（６）を固定する過程は、図４ａ〜ｄと同様に行われ、前記硬質フィルム（６）を係合手段（２０）とカバー部材（３０）によりルーフフレーム（１０）の固定溝部（１４）に完全に固定すると、前記硬質フィルム（６）の固定溝部（１４）に挿入される部分の中間部は第１係合部（２０）の第１係合板部（２１１）の下面と前記固定溝部（１４）の底の間に介在され、その左・右部は上方で上下第１，２加圧片（２１５，２２５）の端部によって左右にさらに広げながら、前記上下の第１，２加圧片（２１５，２２５）の各端部との間に挿入さ介在されている左右の支持片（１５，１５’）の端部により前記上下の第１，２加圧片（２１５，２２５）の各端部と左右の支持片（１５，１５’）の端部との間にしっかりと挿入されてジグザグに屈曲されるような状態で通過するので、より互いに強固に固定される。
【００４０】
このように硬質フィルム（６）を固定した後、部分的な補修や交換または温室を解体する場合などには、固定するときの逆の手順で、まず第１，２係合溝（２１６，２２６）に係合された係合顎（３３，３３’）のうちのいずれかの係合状態のみを解除させれば、簡単に分離することができる。
【００４１】
一方、前記では、本発明による温室用硬質フィルムの固定装置がルーフフレーム（１０）に硬質フィルム（６）を固定するために使用されることになっているが、必ずしもこれに限定されるものではなく、前記第１加圧片（２１５）を温室の壁のフレームに取り付けて硬質フィルム（６）を固定する時も同様に使用することができるものであって、これらの場合にも、本発明の範囲に属することはもちろんである。
【００４２】
このように構成されている本発明による温室用硬質フィルム（６）の固定装置は、締結ねじ等を一切使用せず、第１，２係合部材（２１，２２）とカバー部材を使用して硬質フィルム（６）を張りながらも強固に固定するので、より迅速・容易に固定または簡単に分離することができることはもちろん、第１，２係合部材（２１，２２）とカバー部材（３０）と硬質フィルム（６）などのねじ締結のための穴が穿孔されていないので外観が美麗で耐久性と商品性を大幅に向上させるなどの特徴がある。
【符号の説明】
【００４３】
１０：ルーフフレーム            １２，１２’：左右の支持部
１３，１３’：左右の固定片      １４：固定溝部
１５，１５’：左右の支持片      ２０：係合手段
２１：第１係合部材              ２２：第２係合部材
３０：カバー部材                ３１：板体
３２，３２’：弾性片            ３３，３３’：係合顎
２１１：第１係合板部            ２１５：第１加圧片
２１６：第１係合溝              ２１８：収容部
２１９：上下掛け顎              ２２１：第２係合板部
２２５：第２加圧片              ２２６：第２係合溝
２２７：接続片                  ２２８：係止部
【図１】
2019037221.tif 000003
【図２】
2019037221.tif 000004
【図３】
2019037221.tif 000005
【図４ａ】
2019037221.tif 000006
【図４ｂ】
2019037221.tif 000007
【図４ｃ】
2019037221.tif 000008
【図４ｄ】
2019037221.tif 000009
【図５ａ】
2019037221.tif 000010
【図５ｂ】
2019037221.tif 000011